(57)【要約】【課題】ＣＰＵがタスク処理中であるのか、または処理が完了しているのかを視覚的および音で通知し、作業者が安心して別の作業を行うことができ、またディスプレイの電源を無駄な時間中には切ることによって消費電力を低減する。【解決手段】ＰＣ１は、ディスプレイ２と、キーボード３と、ＰＣ本体４とを有し、ＰＣ本体４はＣＰＵ使用率表示部４１と、通知音鳴動部４２と、ＣＰＵ使用率通知制御部４３とを備える。ＣＰＵ使用率通知制御部４３は、ＣＰＵの使用率があらかじめ操作設定された値になったことを検出した場合所定の表示あるいは鳴動を行わせるための信号を出力する。ＣＰＵ使用率表示部４１は、主表示画面とは別に設けられＣＰＵ使用率通知制御部４３の指示に基づきＣＰＵ使用率に係わる所定の表示を行う。通知音鳴動部４２は、ＣＰＵ使用率通知制御部４３の指示に基づきＣＰＵ使用率に係わる所定の鳴動を行う。【選択図】      図２
2004171485.tif 000002
【特許請求の範囲】
【請求項１】
ＣＰＵおよび表示を行うための主表示画面を有する情報処理端末であって、前記主表示画面とは別に、前記ＣＰＵの使用率を確認するための通知手段を備えることを特徴とする情報処理端末。
【請求項２】
あらかじめ設定したＣＰＵ使用率の状態のなったことを検出し前記通知手段によって音または視覚的に作業者に通知制御する制御手段を備えることを特徴とする請求項１記載の情報処理端末。
【請求項３】
ＣＰＵおよび表示を行うための主表示画面を有する情報処理端末であって、ＣＰＵの使用率があらかじめ操作設定された値になったことを検出した場合所定の表示あるいは鳴動を行わせるための信号を出力するＣＰＵ使用率通知制御部と、前記主表示画面とは別に設けられ前記ＣＰＵ使用率通知制御部の指示に基づきＣＰＵ使用率に係わる所定の表示を行うＣＰＵ使用率表示部および前記ＣＰＵ使用率通知制御部の指示に基づきＣＰＵ使用率に係わる所定の鳴動を行う通知音鳴動部の両方あるいはいずれか片方を備えることを特徴とする情報処理端末。
【請求項４】
前記ＣＰＵ使用率通知制御部は、ＣＰＵ使用率を検出するための検出レベルを操作入力に基づき設定する検出レベル設定部と、前記検出レベル以下の状態の継続時間を操作入力により設定する検出時間設定部と、前記継続時間を超えた場合に通知する音の出力時間を操作入力により設定する音通知時間設定部と、ＣＰＵ使用率が前記検出レベル設定部で設定した検出レベルを超え更に設定した前記検出レベル以下の状態になり前記継続時間保持した状態になったときに作業者に通知するための信号を出力するＣＰＵ使用率判定部と、前記ＣＰＵ使用率判定部の指示に基づき所定の表示あるいは鳴動を行わせる通知制御部とを備えることを特徴とする請求項３記載の情報処理端末。
【請求項５】
ＣＰＵおよび表示を行うための主表示画面を有する情報処理端末におけるＣＰＵ使用率通知方法であって、前記主表示画面とは別に前記ＣＰＵの使用率を通知するための通知手段を設け、あらかじめ操作入力により設定したＣＰＵ使用率になったことを検出した場合に、前記主表示画面を非立上げの状態で、前記通知手段により作業者に対し音で通知することを特徴とする情報処理端末におけるＣＰＵ使用率通知方法。
【請求項６】
前記通知手段により作業者に対し視覚的に通知することを特徴とする請求項５記載の情報処理端末におけるＣＰＵ使用率通知方法。
【請求項７】
ＣＰＵおよび表示を行うための主表示画面を有する情報処理端末におけるＣＰＵ使用率通知方法であって、前記主表示画面とは別に前記ＣＰＵの使用率を通知するための通知手段を設け、あらかじめ操作入力により設定したＣＰＵ使用率になったことを検出した場合に、前記主表示画面を非立上げの状態で、前記通知手段により作業者に対し視覚的に通知することを特徴とする情報処理端末におけるＣＰＵ使用率通知方法。
【請求項８】
ＣＰＵ使用率の判定のため、所定の検出レベルおよびその継続時間を任意に設定することを特徴とする請求項５〜７のいずれか１項に記載の情報処理端末におけるＣＰＵ使用率通知方法。
【発明の詳細な説明】
【０００１】
【発明の属する技術分野】
本発明はパーソナルコンピュータ（以下、ＰＣと呼称）等ＣＰＵ（Ｃｅｎｔｒａｌ  Ｐｒｏｅｓｓｉｎｇ  Ｕｎｉｔ：中央処理装置）およびディスプレイを有する情報処理端末に関し、特に情報処理端末におけるＣＰＵ使用率通知機能に関する。
【０００２】
【従来の技術】
従来、この種の情報処理端末でのＣＰＵ使用率の表示は、ＣＰＵの使用率を主表示画面であるディスプレイに表示し、ＣＰＵがどのくらい使用されているのかを確認するために用いられている。例えば図８（ａ），（ｂ）に示すように、情報処理端末の代表例であるＰＣ１０で、ＰＣ本体４０によって表示制御されるディスプレイ２０の画面上にＣＰＵ使用率表示部４１ａを設け、このＣＰＵの使用率を通常表示させている。例えば、ＷｉｎｄｏｗｓＮＴ（登録商標）のタスクバーにあるＣＰＵ使用率機能では、この使用率をディスプレイの画面を時々立上げて確認するか、あるいは、常時ディスプレイを立上げて表示させ確認している。
【０００３】
また計算機システムにおいて、システム資源の使用率を計測し、この計測結果が一定時間以上連続してあらかじめ定められた範囲を逸脱していることを検出したときに、表示装置に表示している（例えば、特許文献１参照）。
【０００４】
あるいは、装置における各構成要素における状態情報のうち所定の条件を満たす状態情報を算定し、この算定された状態情報を表示部に表示制御している（例えば、特許文献２参照）。
【０００５】
【特許文献１】
特開平２−１０９１４８号公報（特許請求の範囲、第２項）
【特許文献２】
特開２００１−１１７８５４号公報（段落番号００１２〜００１８および図１）
【０００６】
【発明が解決しようとする課題】
上述したようなＣＰＵ使用率の表示は、一般的に主表示画面であるディスプレイを立上げている時にディスプレイの画面に表示されているが、近年消費電力を低減することが要求されている。その結果、現状の方法ではＣＰＵが１００％使用され、長時間かかる処理（以下、タスクと呼ぶ）の場合、タスク処理中であるのか、あるいは完了しているのかを確認するのに一々ディスプレイの電源を入れなければならないという問題がある。また作業者はいつタスクが終了するのか分らないため、終了するまで別の作業を行うことができないという問題があった。
【０００７】
本発明の目的は、ＣＰＵがタスク処理中であるのか、またはタスク処理が完了しているのかを視覚的および音で通知し、作業者が安心して別の作業を行うことができ、またディスプレイの電源を無駄な時間中には切ることによって、消費電力を低減することが可能な情報処理端末およびそのＣＰＵ使用率通知方法を提供することにある。
【０００８】
【課題を解決するための手段】
本発明の情報処理端末は、ＣＰＵおよび表示を行うための主表示画面を有する情報処理端末であって、前記主表示画面とは別に、前記ＣＰＵの使用率を確認するための通知手段を備え、あらかじめ設定したＣＰＵ使用率の状態のなったことを検出し前記通知手段によって音または視覚的に作業者に通知制御する制御手段を備える。
【０００９】
本発明の情報処理端末は、ＣＰＵおよび表示を行うための主表示画面を有する情報処理端末であって、ＣＰＵの使用率があらかじめ操作設定された値になったことを検出した場合所定の表示あるいは鳴動を行わせるための信号を出力するＣＰＵ使用率通知制御部と、前記主表示画面とは別に設けられ前記ＣＰＵ使用率通知制御部の指示に基づきＣＰＵ使用率に係わる所定の表示を行うＣＰＵ使用率表示部および前記ＣＰＵ使用率通知制御部の指示に基づきＣＰＵ使用率に係わる所定の鳴動を行う通知音鳴動部の両方あるいはいずれか片方を備え、前記ＣＰＵ使用率通知制御部は、ＣＰＵ使用率を検出するための検出レベルを操作入力に基づき設定する検出レベル設定部と、前記検出レベル以下の状態の継続時間を操作入力により設定する検出時間設定部と、前記継続時間を超えた場合に通知する音の出力時間を操作入力により設定する音通知時間設定部と、ＣＰＵ使用率が前記検出レベル設定部で設定した検出レベルを超え更に設定した前記検出レベル以下の状態になり前記継続時間保持した状態になったときに作業者に通知するための信号を出力するＣＰＵ使用率判定部と、前記ＣＰＵ使用率判定部の指示に基づき所定の表示あるいは鳴動を行わせる通知制御部とを備える。
【００１０】
本発明の情報処理端末におけるＣＰＵ使用率通知方法は、ＣＰＵおよび表示を行うための主表示画面を有する情報処理端末におけるＣＰＵ使用率通知方法であって、前記主表示画面とは別に前記ＣＰＵの使用率を通知するための通知手段を設け、あらかじめ操作入力により設定したＣＰＵ使用率になったことを検出した場合に、前記主表示画面を非立上げの状態で、前記通知手段により作業者に対し音で通知する。さらに同時に、前記通知手段により作業者に対し視覚的に通知するように構成してもよい。またＣＰＵ使用率の判定のため、所定の検出レベルおよびその継続時間を任意に設定する。
【００１１】
本発明の情報処理端末におけるＣＰＵ使用率通知方法は、ＣＰＵおよび表示を行うための主表示画面を有する情報処理端末におけるＣＰＵ使用率通知方法であって、前記主表示画面とは別に前記ＣＰＵの使用率を通知するための通知手段を設け、あらかじめ操作入力により設定したＣＰＵ使用率になったことを検出した場合に、前記主表示画面を非立上げの状態で、前記通知手段により作業者に対し視覚的に通知する。またＣＰＵ使用率の判定のため、所定の検出レベルおよびその継続時間を任意に設定する。
【００１２】
本発明によれば、パーソナルコンピュータ等の情報処理端末のタスクにおいて、通常ディスプレイの画面上に表示されていたＣＰＵ使用率の表示を、ディスプレイの画面上以外の場所に設け、タスクが終了した時点で、このタスクが終了したことを、ディスプレイを立上げずに音あるいは視覚的に作業者に通知する。これにより、無駄な消費電力を低減することができ、また、ＰＣの作業者はディスプレイの電源を切ったまま別の作業が行うことができる。
【００１３】
【発明の実施の形態】
次に、本発明の実施の形態について図面を参照して説明する。
【００１４】
本実施の形態では、代表的な情報処理端末であるパーソナルコンピュータ（ＰＣ）を例に説明する。図１（ａ）は本発明の第１の実施の形態に係わるパーソナルコンピュータの外観を示す図であり、（ｂ）は（ａ）におけるＰＣ本体を説明するための図である。
【００１５】
図１（ａ），（ｂ）を参照すると、ＰＣ１は、主表示画面であるディスプレイ２と、ＰＣ本体４とを有し、ＰＣ本体４は、ディスプレイ２とは別に設けられＣＰＵ使用率の段階に応じて表示するＣＰＵ使用率表示部４１を備える。ＣＰＵ使用率表示部４１は、ＣＰＵ使用率が１００％であった時に全て点灯するものとする。また、ＣＰＵの使用率が設定レベルより高くなり、その後設定レベルまで低下し、更にその状態が設定した時間まで保持した場合、すなわち、タスクが終了した時点に音で通知する。
【００１６】
したがって、ＣＰＵ使用率が長時間高い状態を維持するタスクについても、ディスプレイを不必要に立上げることを避け、また、音で通知することによって作業者は、長時間のタスクが終了するまでディスプレイの電源を切ったまま別の作業が行え、また、ディスプレイの電源を切ることによって無駄な消費電力を下げることができる。尚、本発明はＰＣ以外にもＣＰＵを使用している情報処理端末全て、例えば携帯電話機等に対しても適用する。
【００１７】
以下に、図２（ａ），（ｂ）を参照して本実施の形態のＰＣに係わる構成を説明する。図２（ａ）を参照すると、ＰＣ１は、主表示画面であるディスプレイ２と、キーボード３と、ＰＣ本体４とを有し、ＰＣ本体４はＣＰＵ使用率表示部４１と、通知音鳴動部４２と、ＣＰＵ使用率通知制御部４３とを備える。ＣＰＵ使用率通知制御部４３は、ＣＰＵの使用率があらかじめ操作設定された値になったことを検出した場合所定の表示あるいは鳴動を行わせるための信号を出力する。ＣＰＵ使用率表示部４１は、主表示画面とは別に設けられＣＰＵ使用率通知制御部４３の指示に基づきＣＰＵ使用率に係わる所定の表示を行う。通知音鳴動部４２は、ＣＰＵ使用率通知制御部４３の指示に基づきＣＰＵ使用率に係わる所定の鳴動を行う。尚図２（ａ）では、ＣＰＵ使用率表示部４１および通知音鳴動部４２は、両方設ける例を示したが、いずれか片方を設ける構成としてもよい。このように本発明は、主表示画面であるディスプレイの画面以外にＣＰＵ使用率を表示させる機能を設けている。図１では、通知音鳴動部４２の図示を省略してある。
【００１８】
図２（ｂ）を参照すると、ＣＰＵ使用率通知制御部４３は、検出レベル設定部４３１と、検出時間設定部４３２と、音通知時間設定部４３３と、ＣＰＵ使用率判定部４３４と、通知制御部４３５とを備える。検出レベル設定部４３１はＣＰＵ使用率を検出するための検出レベルを操作入力に基づき設定する。検出時間設定部４３２は検出レベル以下の状態の継続時間を操作入力により設定する。音通知時間設定部４３３は、検出レベル以下の状態の継続時間を超えた場合に通知する音の出力時間を操作入力により設定する。ＣＰＵ使用率判定部４３４は、ＣＰＵ使用率が検出レベル設定部４３１で設定した検出レベルを超え更に設定した検出レベル以下の状態になり、この検出レベル以下の状態で所定の継続時間保持した状態になったときに作業者に通知するための信号を出力する。通知制御部４３５はＣＰＵ使用率判定部４３４の指示に基づき所定の表示あるいは鳴動を行わせる。
【００１９】
次に、本発明の実施の形態の動作について図面を参照して説明する。まず、図１のＣＰＵ使用率表示部４１の動作について図３のフローチャートを用いて説明する。始めに、操作入力により検出レベルの設定を行う（ステップ１：Ｓ１と略称、以下同様）。検出レベルとは現在のＣＰＵの使用率が設定したレベルより高いか低いかを検出するレベルを意味する。次に操作入力により検出時間（継続時間）の設定を行う（Ｓ２）。検出時間とはＣＰＵ使用率が、設定した検出レベル以下の状態をどのくらい保持しているか設定する時間を意味する。
【００２０】
次に、音通知時間とは設定した検出時間以上状態保持したことを通知する機能で、通知する音をどのくらいの時間鳴らすかを操作入力により設定する（Ｓ３）。上述した設定を行った後、長時間処理のかかるタスクを実行させる。その後、ＰＣ本体は使用率が設定した検出レベル以上になったかを監視する（Ｓ４）。検出レベル以上になった時、今度はＣＰＵ使用率が設定した検出レベル以下になるまで監視する（Ｓ５）。ＣＰＵ使用率が、設定した検出レベル以下になった時、検出レベル以下の状態を、設定した検出時間の間保持した場合（Ｓ６）、音で作業者に通知する（Ｓ７）。
【００２１】
図４は、上述の各設定を行った後、長時間処理を行うタスクを実行した後の動作について示している。例として１メモリをＣＰＵ使用率２０％とする。検出レベルをＣＰＵ使用率４０％に設定し、検出時間をＴ１、音通知時間をＴ２と設定している。まず長時間処理のかかるタスクを実行した後、ＰＣ本体は設定した検出レベル（４０％）を超えるかどうかを監視する。ＣＰＵ使用率が検出レベル（４０％）を超えた後、今度はＣＰＵ使用率が検出レベル（４０％）以下になることを確認する。検出レベル以下になったことを確認した後、検出時間（Ｔ１）その状態を保持しているかどうかを監視する。ＣＰＵ使用率が検出レベル以下になった状態が検出時間（Ｔ１）に満たなかった時、再度初期状態に戻り再度検出レベル（４０％）以下になることを監視する。
【００２２】
ＣＰＵ使用率が検出レベル（４０％）以下になり、更に検出時間（Ｔ１）の間その状態を保持した場合、音設定時間（Ｔ２）だけ音を鳴らして作業者に通知する。このように、図４に示すように音および視覚的に作業者に知らせることができるため、長期の処理を必要とするタスクを実行している時はディスプレイの電源を消し、作業者は別の作業を行うことができる。また、本機能の音の通知については、ＯＮ／ＯＦＦが選択でき、視覚的通知のみとしてもよい。
【００２３】
本発明の第２の実施の形態として、その基本的構成は上述した第１の実施の形態と同様であるが、ＣＰＵ使用率の表示部について更に工夫している。その構成を図５に示す。第１の実施の形態では、ＰＣ本体にＣＰＵ使用率表示部を設けていたが、第２の実施の形態では、ＰＣ本体ではなくディスプレイの外側にＣＰＵ使用率表示部５１を設けている。また、ノート型ＰＣであれば、閉じた時でもＣＰＵ使用率が表示できるように、ＣＰＵ使用率表示部５２を閉じた時のＰＣの上面に設ける構成としてもよい。
【００２４】
上述した各実施の形態では、ＣＰＵ使用率表示を段階的に表示させていたが、第３の実施の形態では、段階的に表示させるのではなく図６に示すように、１つの発光部分（ＬＥＤ等）のみの点灯／消灯で表示させている。図６（ａ）はノート型ＰＣの場合、ＣＰＵ使用率表示部６１をＰＣの上面に、また図６（ｂ）ではＣＰＵ使用率表示部６２をＰＣのディスプレイの外側に、更にまた図６（ｃ）ではＣＰＵ使用率表示部６３をＰＣ本体にそれぞれ設けている例を示している。
【００２５】
図７の動作は図４の動作説明と同様であるが、ＣＰＵの使用率が検出レベル以上になった時点灯し、検出レベルより下であった時消灯という動作を行う。このようにして、ＣＰＵ使用率表示部を小さくすることによって、更に場所をとらずに、且つ消費電力を更に小さくすることが可能になる。
【００２６】
【発明の効果】
以上説明したように本発明によれば、ＣＰＵの使用率を表示しこの使用率が下がったこと、すなわちタスクが終了したことを、ディスプレイを不必要に立上げず視覚的に表示させ、また音で通知している。したがって、ディスプレイ動作による無駄な消費電力を低減することができ、また、音によってタスクの終了がわかるため、ＰＣの作業者はディスプレイの電源を切ったまま別の作業が行うことができる。
【図面の簡単な説明】
【図１】（ａ）は本発明の第１の実施の形態に係わるパーソナルコンピュータの外観を示す図である。（ｂ）は（ａ）におけるＰＣ本体を説明するための図である。
【図２】（ａ）は本発明の第１の実施の形態に係わるパーソナルコンピュータの構成を示す図である。（ｂ）は（ａ）におけるＣＰＵ使用率通知制御部の構成を示す図である。
【図３】本発明の第１の実施の形態に係わるパーソナルコンピュータの動作を説明するためのフローチャートである。
【図４】本発明の第１の実施の形態に係わるパーソナルコンピュータの動作を説明するための図である。
【図５】（ａ）は本発明の第２の実施の形態に係わるパーソナルコンピュータの外観を示す図である。（ｂ）は本発明の第２の実施の形態に係わるノート型パーソナルコンピュータの外観を示す図である。
【図６】（ａ）は本発明の第３の実施の形態に係わるノート型パーソナルコンピュータの外観を示す図である。（ｂ）は本発明の第３の実施の形態に係わるパーソナルコンピュータのディスプレイの外観を示す図である。（ｃ）は本発明の第３の実施の形態に係わるパーソナルコンピュータ本体の外観を示す図である。
【図７】本発明の第３の実施の形態に係わるパーソナルコンピュータの動作を説明するための図である。
【図８】従来のパーソナルコンピュータの外観を示す図である。（ｂ）は（ａ）におけるディスプレイを説明するための図である。
【符号の説明】
１    ＰＣ
２    ディスプレイ
３    キーボード
４    ＰＣ本体
４１，５１，５２，６１〜６３    ＣＰＵ使用率表示部
４２    通知音鳴動部
４３    ＣＰＵ使用率通知制御部
４３１    検出レベル設定部
４３２    検出時間設定部
４３３    音通知時間設定部
４３４    ＣＰＵ使用率判定部
４３５    通知制御部
【図１】
2004171485.tif 000003
【図２】
2004171485.tif 000004
【図３】
2004171485.tif 000005
【図４】
2004171485.tif 000006
【図５】
2004171485.tif 000007
【図６】
2004171485.tif 000008
【図７】
2004171485.tif 000009
【図８】
2004171485.tif 000010